(57)【要約】      （修正有）【課題】脚板と天板を安定した状態で組み付けることができ、組み込み及び組み外しを容易に行え、中央部にコンロを設置することのできる組立式バーベキューテーブルを提供する。【解決手段】組立式バーベキューテーブルは、４枚の脚板両端近傍の切欠け部２ｄを井桁状に組み合わせて脚部を構成すると共に、突起２ａ、２ｂを、突起に合わせた位置に形成された天板の溝に嵌合させ脚部と中央部に開口を有する天板を一体的に組み合わせてなる。【選択図】図３
0003217077.tif 000002
【実用新案登録請求の範囲】
【考案の詳細な説明】
【技術分野】
【０００１】  本考案は、中央部に開口を有する形状の天板と４枚の脚板とが組み付けられて構成された組立式バーベキューテーブルに関する。
【背景技術】
【０００２】  従来の組立式テーブルは、嵩張らず、持ち運びが簡便で、且つ安定した状態で地面又は床面に設置することができるものが望まれている。一般に使用されている組立式テーブルは、脚部が折畳み可能、若しくはネジの着脱による組立が一般的であった。
このような接続器具を使用しない組立式テーブルとして、２枚の脚板の中央を直角に組み合わせて脚部を構成すると共に、平面視十字状に組み合わせた脚板の上部外端近傍から上方に突出させてある突起を、該突起に合わせた位置に形成された天板の開孔に突入させて脚板と天板を一体的に組み合わせたものがある。（特許文献１）
一方、コンロ用テーブルとして、直角方向に嵌合する嵌合溝を設けて四角状に枠組し、この枠組した角部に脚部材を固定して、該脚部材下部間に前後方向及び左右方向にツナギ材を固定して補強すると共に、枠組した横幕板と縦幕板に井桁状に甲板を固定したものがある。（特許文献２）
【先行技術文献】
【特許文献】
【０００３】
【特許文献１】実開平５−４８７２７号公報
【特許文献２】特開平７−３０３５３０号公報
【考案の概要】
【考案が解決しようとする課題】
【０００４】  特許文献１は、組立式のテーブルであるが、２枚の脚板を十字状に組み込むので、テーブルの中にバーベキュー用のコンロを設けることはできない。
特許文献２は、四角状に枠組した中にコンロを設置することができるテーブルであるが、組立式ではなく、使用しないときには収納に場所を要するものである。【０００５】  本考案は、係る事情に鑑みてなされたもので、４枚の脚板を井桁状に組み込み脚部を形成し、脚板の上端部両端に設けた横長の第１の突起を該突起に対応した位置に形成された天板裏面に形成した溝部に組み入れて脚板と天板を一体的に組み合わせる構成としたことにより、脚板と天板が安定した状態で組み付けることができ、組み込み作業及び組み外すことが簡単に行うことができる。脚板を井桁状に組み込み、天板中央に開口部を有する形状であることから、該空間にバーベキュー用のコンロを設置することが容易に行うことができる。【０００６】  また、組み外した際にコンパクトに収納できる組立式バーベキューテーブルを提供することを目的とする。
さらに、天板を二つに折畳めるようにしたことで、一層コンパクトな収納ができる。
しかし、天板２分割して蝶番で枢着することにしたため、天板の端部に力が掛かると結合部が持ち上がってしまうという問題があった。
【課題を解決するための手段】
【０００７】  以上の目的を達成するために、本考案は、
４枚の脚板と天板によって構成される組立式バーベキューテーブルであって、
天板は、中央に開口部を有する形状からなり、
脚板は、長手方向両端近傍において直上方又は直下方に脚板の板厚に合わせた切欠け部が形成された各２枚からなり、
且つそれぞれの脚板の上端部の左右端部には、横長の第１の突起が形成され、
前記４枚の脚板が、平面視井桁形状に組み付けられており、
天板裏面には、脚板を井桁状に組み付けた第１の突起と対応する位置に溝が形成され、
前記脚板の第１突起が、天板裏面の四隅に対角線に形成された溝に組み込まれ、
脚板と天板が一体的に組み付けされている組立式バーベキューテーブルである。【０００８】  また本考案は、
前記の天板の四隅を結ぶ対角線上に形成された溝間において同形状の２枚の板に分割され、
且つ分割された２枚の天板が蝶番で枢着されて、それぞれの下面が重なる方向に畳むことのできる
ことを特徴とする上記記載の組立式バーベキューテーブルである。【０００９】  且つ、前記脚板の上端部中央に横長の第２の突起が前記両端部に設けた第１の突起より天板に設けた溝の深さの長さ分短く形成されている
ことを特徴とする上記記載の組立式バーベキューテーブルである。
【考案の効果】
【００１０】  本考案の組立式バーベキューテーブルは、４枚の脚板及び中央に開口部を有する天板を組み付けて構成したもので、簡単かつ容易に組み付けることができる。
このように組み付けられたテーブルは、天板裏部に設けた溝、脚板上端部に設けた第１突起が組み合わされ、安定的に設置することができる。さらに脚板を井桁状に組み込むことから、該空間部にコンロを設置することができる。
また、使用後は簡単に組み外すことができるために嵩張らず、搬送及び収納において、便利であり、野外において使用する際に特に便利である。【００１１】  さらにテーブルとして利用される天板が蝶番を介して２分割のもので構成されているので、収納時において簡単に折畳むことができるため、より一層コンパクトに収納することができる。
天板が二つ折りできることで、結合部の持ち上がりが生じることがあるが、脚板上端部の中央に第２の突起を設けたことで、結合部の持ち上がりを防止することができる。
【図面の簡単な説明】
【００１２】
【図１】本考案の組立式バーベキューテーブルの実施例を示すコンロ設置時の全体斜視図である。
【図２】天板裏面を示す平面図である。
【図３】下方から切り欠けの入った脚板Ａを示す平面図である。
【図４】上方から切り欠けの入った脚板Ｂを示す平面図である。
【図５】脚板組み付け後の脚部を示す斜視図である。
【図６】別の実施形態を示す斜視図である。
【考案を実施するための形態】
【００１３】  以下、添付図面を参照して本考案の組立式バーベキューテーブルについて説明する。
図１は本考案の組立式バーベキューテーブルの実施例を示すコンロ設置時の全体斜視図、図２は天板裏面を示す平面図、図３は下方から切り欠けの入った脚板Ａを示す平面図、図４は上方から切り欠けの入った脚板Ｂを示す平面図、図５は組み付け後の脚部を示す斜視図である。
１は天板、２は脚板Ａ、３は脚板Ｂ、４は蓋である。
【００１４】  図１に示す天板１は、天板の中央に開口部１ｃを有する形状であればよく、円形のみではなく、多角形状など上下左右対称な形状であれば、多様な形状のものとすることができる。天板１の裏面には、後述する脚板Ａ２、脚板Ｂ３を井桁状に組み付けた状態で、該脚板上部の左右両端部に形成した第１の突起２ａ、２ａと３ａ、３ａ対応した位置に溝１ａ、１ａが形成されている。天板１の形状は、中央に開口部１ｃを有し、前述した溝１ｃを形成することができる大きさであれば、図６に示す円形以外の形状でも可能である。
【００１５】  脚板Ａ２は、図３に示すように両端部近傍に下端部から上方に向けて、切り欠け部２ｄ、２ｄが設けられており、脚板Ｂ３は、図４に示すように両端部近傍に上端部から下方に切り欠け３ｄ、３ｄが設けられ、各２枚の脚板からなる。
脚板Ａ２及び脚板Ｂ３の側面には、空気を取り入れるための空気開口部２ｅ、３ｅが設けられており、コンロを設置した時に空気の供給口としての役割を果たすものであれば、どのような形状であっても可能である。
脚板Ａ２、脚板Ｂ３の下端部において両端部を残し、図３、４に示すように中央部が湾曲して形成されており、両端部が、地面又は床などへの載置部２ｃ、２ｃ、３ｃ、３ｃとなっている。
また、脚板Ａ２の上端部両端には、横長の第１の突起２ａ、２ａ、脚板Ｂ３の上端部両端には横長の第１の突起３ａ、３ａが形成されている。
脚板Ａ２、脚板Ｂ３は、切り欠け部２ｄ、３ｄ、を除くと、外形は同一形状を示している。
【００１６】  本考案の組立式バーベキューテーブルは、天板１と各２枚の脚板Ａ２、脚板Ｂ３から構成され、これら天板１及び脚板Ａ２，脚板Ｂ３はある程度の板厚のある丈夫な合板、あるいは反りのない一枚板によって形成されるが、これらの材質に限定されず、他木材によって形成することも可能である。
これら天板１及び脚板２，３の大きさは特に限定されず、その使用目的に合った大きさとすることができる。
【００１７】  図５に示すように切り欠けが下方に位置する脚板Ａ２と切り欠けが下方に位置する脚板Ｂ３を各２枚用いて、平面視井桁状に嵌め込むことで、ガタツクことなく固定することができる。
天板１の裏面には、前記脚板Ａ２の第１の突起２ａ、２ａ、脚板Ｂ３の第１の突起が嵌入する溝１ａ、１ａが対角線上に等間隔に形成されている。該溝１ａは前記第１の突起２ａ、３ａが嵌め込まれ、かつガタつかない程度の大きさを有し、天板１の中心から対角線上に形成されている。溝１ａ、１ａは、前記第１の突起２ａ、３ａが容易に嵌め込まれる大きさを有しており、同形状となっていることから、井桁状に形成した脚板Ａ２及び脚板Ｂ３の第１の突起２ａ、３ａの何れにも対応可能であることから井桁状に組み付けた脚板上に容易に設置することが可能である。このように組み付けられたことから、井桁状の空間及び天板中央が開口していることから該空間にバーベキュー用のコンロを設置することができる。
【００１８】  次に折畳み可能な天板１の構造について説明する。
図２に示すように、天板裏面に形成された溝１ａ、１ａ間において、同形状の板に分割され、分割された天板が蝶番１ｃ、１ｃにより、枢着され、それぞれの底面が重なる方向に折畳むことができるように構成されている。天板１を折畳むことにより、一層コンパクトな収納が可能になる。
【００１９】  天板１を折畳み可能に構成したことにより、天板１端部に力が掛かると枢着部が持ち上がってしまうという問題点が生じるおそれがある。この対策として、脚板Ａ２、脚板Ｂ３の上端部中央に第２突起２ｂ、３ｂを設けることで防止することができる。第２の突起を脚板Ａ、脚板Ｂの第１の突起２ａ、３ａを天板１の溝１ａに嵌め込んだ時に、天板１の底面に接する高さにすることで、持ち上がりを防止することができる。
【００２０】  図６に示すように、天板１の中央の開口部１ｃに開口部１ｃより大きな長さの蓋４を被せることで、テーブルとしての利用が可能である。さらにバーベキューを行っている際に、特許文献１の十字状に組み付けた脚板の上端部に突起を形成し、蓋裏面に溝を形成して組み付けることでミニテーブルとして利用することが可能である。
【００２１】  前記脚板Ａ、脚板Ｂに設けた切り欠けは長年使用することにより、ガタツキやズレが生じる可能性があるが、脚板Ａ、脚板Ｂの嵌合部近傍を折金及び蝶ネジ等の固定具を設置する取り付け穴２ｆ、３ｆを設け、固定することで強固に固定することが可能である。なお、折金及び蝶ネジ等の固定具は取り外すことができる。
【符号の説明】
【００２２】１    天板
１ａ  溝
１ｂ  蝶番
１ｃ  開口部
１ｄ  バーベキュー用コンロ
２    脚板Ａ
２ａ  第１の突起
２ｂ  第２の突起
２ｃ  載置部
２ｄ  切り欠け
２ｅ  空気開口部
２ｆ  取り付け穴
３    脚板Ｂ
３ａ  第１の突起
３ｂ  第２の突起
３ｃ  載置部
３ｄ  切り欠け
３ｅ  空気開口部
３ｆ  取り付け穴
４    蓋
0003217077.tif 000003
【手続補正書】
【提出日】平成30年1月10日(2018.1.10)
【手続補正１】
【補正対象書類名】実用新案登録請求の範囲
【補正対象項目名】全文
【補正方法】追加
【補正の内容】
【実用新案登録請求の範囲】
【請求項１】
４枚の脚板と中央部に開口を有する形状からなる天板によって構成されるバーベキューテーブルで、脚板は、長辺方向両端近傍から直上方向又は直下方向に脚板の板厚よりやや太い２本のスリットが形成され、且つそれぞれの脚板上端部の両端部及び中央上部に横長の第１突起及び上端部中央に横長の第２突起が形成された各２枚の脚板からなり、
４枚の脚板が、平面視井桁状に組み付けられており、
天板裏面には、脚板を井桁状に組み付けた第１突起の位置と対応する位置に溝が形成され、
前記脚板の第１突起と、天板裏面の井桁状に組み付けた脚板の第１突起の位置が対応する位置に形成された溝に組み込まれ、
脚板と天板が一体的に組み合わされてなる組立式バーベキューテーブル。
【請求項２】
前記の天板裏面の井桁状に組み付けた脚板の第１突起の位置が対応する位置に形成された溝間において同形状の二枚の板に分割され、
且つ２枚の板が蝶番で枢着されそれぞれの下面が重なる方向に折り畳むことができ、
中央に円形の開口部が形成されることを特徴とする組立式バーベキューテーブル。
【請求項３】
且つ、前記脚板の上端部中央横長の第２突起は前記両端部に設けた第１突起より天板に設けた溝の深さと同様の長さ分短く設けたことを特徴とする組立式バーベキューテーブル。
【手続補正２】
【補正対象書類名】図面
【補正対象項目名】全図
【補正方法】追加
【補正の内容】
【図１】
0003217077.tif 000004
【図２】
0003217077.tif 000005
【図３】
0003217077.tif 000006
【図４】
0003217077.tif 000007
【図５】
0003217077.tif 000008
【図６】
0003217077.tif 000009
【手続補正書】
【提出日】平成30年4月27日(2018.4.27)
【手続補正１】
【補正対象書類名】実用新案登録請求の範囲
【補正対象項目名】全文
【補正方法】変更
【補正の内容】
【実用新案登録請求の範囲】
【請求項１】
４枚の脚板と中央部に開口を有する形状からなる天板によって構成されるバーベキューテーブルで、
脚板は、長辺方向両端近傍から直上方向又は直下方向に脚板の板厚よりやや太い２本の切り欠け部が形成され、且つそれぞれの脚板上端部の両端部に横長の第１突起及び上端部中央に横長の第２突起が形成された各２枚の脚板からなり、
４枚の脚板が、平面視井桁状に組み付けられており、
天板裏面には、脚板を井桁状に組み付けた第１突起の位置と対応する位置に溝が形成され、
前記脚板の第１突起と、天板裏面の井桁状に組み付けた脚板の第１突起の位置が対応する位置に形成された溝に組み込まれ、
脚板と天板が一体的に組み合わされてなる組立式バーベキューテーブル。
【請求項２】
天板裏面の井桁状に組み付けた脚板の第１突起の位置が対応する位置に形成された溝から溝へ対角線上にて同形状の２枚の板に分割され、
且つ２枚の板が蝶番で枢着され、それぞれの下面が重なる方向に折り畳むことができ、
中央に円形の開口部が形成される
ことを特徴とする請求項１に記載の組立式バーベキューテーブル。
【請求項３】
脚板の上端部中央横長の第２突起は脚板の上端部両端部に設けた第１突起より天板に設けた溝の深さと同様の長さ分短く設けた
ことを特徴とする請求項１又は２に記載の組立式バーベキューテーブル。
【手続補正２】
【補正対象書類名】明細書
【補正対象項目名】０００６
【補正方法】変更
【補正の内容】
【０００６】  以上の目的を達成するために本考案は、
４枚の脚板と中央部に開口を有する形状からなる天板によって構成されるバーベキューテーブルで、
脚板は、長辺方向両端近傍から直上方向又は直下方向に脚板の板厚よりやや太い２本の切り欠け部が形成され、且つそれぞれの脚板上端部の両端部に横長の第１突起及び上端部中央に横長の第２突起が形成された各２枚の脚板からなり、
４枚の脚板が、平面視井桁状に組み付けられており、
天板裏面には、脚板を井桁状に組み付けた第１突起の位置と対応する位置に溝が形成され、
前記脚板の第１突起と、天板裏面の井桁状に組み付けた脚板の第１突起の位置が対応する位置に形成された溝に組み込まれ、
脚板と天板が一体的に組み合わされてなる組立式バーベキューテーブルである。